(57)【要約】【課題】アプリケーションを実行できる自宅設置で盗難可能性の低いＰＣでは使用時ごとのパスワードの解除を不要とする携帯メモリ接続使用認証システムを提供する。【解決手段】携帯電話又はパソコン等の端末６と携帯メモリ１を組み合わせてこれらの接続処理を行う携帯メモリ接続使用認証システムにおいて、前記携帯メモリ１へのパスワード登録時に前記端末６にも同内容を登録する機能を有し、前記携帯メモリ１が接続された時には前記端末が登録されたパスワードを自動的に使用しこれを解除する。【選択図】図１
2007257218.tif 000002
【特許請求の範囲】
【請求項１】
端末装置と携帯可能な携帯メモリとの接続処理を行う携帯メモリ接続使用認証システムにおいて、前記端末装置は、前記携帯メモリへのパスワード登録時に、前記携帯メモリに登録した登録内容と同一内容を保存する機能を有し、前記携帯メモリが接続された時には前記端末装置に保存した前記携帯メモリの登録内容を使用してロックを解除することを特徴とする携帯メモリ接続使用認証システム。
【請求項２】
前記端末装置は、ユーザー設定を記憶する機能を有し、前記端末装置に対して前記携帯メモリに登録した登録内容と同一の内容を保存する機能の実施可否を決定することを特徴とする請求項１記載の携帯メモリ接続使用認証システム。
【請求項３】
前記端末装置は、前記携帯メモリに登録済みのパスワードと全く同じパスワードが再登録された場合、同一内容を保存し、前記端末装置に保存した前記携帯メモリの登録内容を携帯メモリ接続時使用することを特徴とする請求項１記載の携帯メモリ接続使用認証システム。
【請求項４】
前記携帯メモリは、パスワードと対をなす固有ＩＤを登録する機能を有し、前記端末装置は前記固有ＩＤを前記携帯メモリ装着時に前記携帯メモリに確認する確認手段を有し、前記固有ＩＤに対応するパスワードを検索してこれを保持している場合に前記パスワードでのみ認証を試すことを特徴とする請求項１乃至３の何れか１項記載の携帯メモリ接続使用認証システム。
【請求項５】
前記端末装置は、パスワード登録時に併せて有効期限を設定する機能を有し、有効期限が切れたパスワードは自動的に削除することを特徴とする請求項１乃至４の何れか１項記載の携帯メモリ接続使用認証システム。
【発明の詳細な説明】
【技術分野】
【０００１】
本発明は、携帯電話又はパソコン等の端末装置と携帯メモリとを組み合わせて接続処理を行う携帯メモリ接続使用認証システムに関するものである。
【背景技術】
【０００２】
近年、携帯移動用途の大容量メモリ（カード型、スティック型などのフラッシュメモリ）が普及していて、１つの大容量メモリを持ち運んで端末装置（ＰＣ（パソコン）、携帯電話等）に接続できるようになっている。
また、大容量である故に動画など大きなデータに加えて実行ファイル（アプリケーションプログラムなど）も持ち運ぶことができている。主にＰＣ向けであるが、ＵＳＢ接続のスティック型大容量メモリにおいて、こうした実行ファイルにはメモリ内の情報を他者から保護するためのセキュリティーソフト（パスワードによる認証）もメモリ側に載せられるようになっている。
なお、特許文献１には、データ閲覧先に特別なシステムを必要とせずに、簡単にデータの閲覧を制限することができるデータ提供システムが開示されている。
【０００３】
【特許文献１】特開２００５−７８５１７公報
【発明の開示】
【発明が解決しようとする課題】
【０００４】
しかしながら、外に持ち運ぶことを考えるとパスワードは必要であるが、端末装置として個人使用の特定の端末装置（アプリケーションを実行できるＰＣで自宅設置のもの等盗難可能性の低いもの）において使用する場合には、一々パスワードを解除するのは面倒である。
また、特定端末装置を定めず一律パスワードを掛けたい状況も存在する。さらに、パスワード入力不要の端末装置を複数作成したい場合も存在する。端末装置側としては異なる携帯メモリが着脱される可能性が随時あり、保持すべきパスワード数が増加する可能性があり、その数によってはパスワード認証を総当りで掛けるのはあまりにも効率が悪い。
【０００５】
さらに、端末装置内にパスワードを保持し続けた場合、いつか使用されなくなったパスワードが蓄積されていく可能性があり、これは携帯メモリの無駄以上に認証時の処理時間増加に影響を与える可能性があるという問題もある。
そこで、本発明の目的は、上述した実情を考慮して、アプリケーションを実行できる自宅設置で盗難可能性の低いＰＣでは使用時ごとのパスワードの解除を不要とする携帯メモリ接続使用認証システムを提供することにある。
【課題を解決するための手段】
【０００６】
上記の課題を解決するために、請求項１に記載の発明は、端末装置と携帯可能な携帯メモリとの接続処理を行う携帯メモリ接続使用認証システムにおいて、前記端末装置は、前記携帯メモリへのパスワード登録時に、前記携帯メモリに登録した登録内容と同一内容を保存する機能を有し、前記携帯メモリが接続された時には前記端末装置に保存した前記携帯メモリの登録内容を使用してロックを解除する携帯メモリ接続使用認証システムを特徴とする。
また請求項２に記載の発明は、前記端末装置は、ユーザー設定を記憶する機能を有し、前記端末装置に対して前記携帯メモリに登録した登録内容と同一の内容を保存する機能の実施可否を決定する請求項１記載の携帯メモリ接続使用認証システムを特徴とする。
【０００７】
また請求項３に記載の発明は、前記端末装置は、前記携帯メモリに登録済みのパスワードと全く同じパスワードが再登録された場合、同一内容を保存し、前記端末装置に保存した前記携帯メモリの登録内容を携帯メモリ接続時使用する請求項１記載の携帯メモリ接続使用認証システムを特徴とする。
【０００８】
また、請求項４に記載の発明は、前記携帯メモリは、パスワードと対をなす固有ＩＤを登録する機能を有し、前記端末装置は前記固有ＩＤを前記携帯メモリ装着時に前記携帯メモリに確認する確認手段を有し、前記固有ＩＤに対応するパスワードを検索してこれを保持している場合に前記パスワードでのみ認証を試す請求項１乃至３の何れか１項記載の携帯メモリ接続使用認証システムを特徴とする。
また、請求項５に記載の発明は、前記端末装置は、パスワード登録時に併せて有効期限を設定する機能を有し、有効期限が切れたパスワードは自動的に削除する請求項１乃至４の何れか１項記載の携帯メモリ接続使用認証システムを特徴とする。
【発明の効果】
【０００９】
本発明によれば、アプリケーションを実行できる自宅設置で盗難可能性の低いＰＣでは、すなわち、確認する必要も無いような安全な状況下においてパスワード入力の手間を省くことができる。
【発明を実施するための最良の形態】
【００１０】
以下、図面を参照して、本発明の実施形態を詳細に説明する。
図１は携帯メモリを示す概略ブロック図である。本発明は、例えば、携帯電話又はパソコンなどの端末装置（以下、単に「端末」と表記する）６と携帯メモリ１の組合せに関する。
携帯メモリ１は、本来のユーザーが記憶させたいデータやアプリケーションプログラム及び携帯メモリ自体を最低限制御するためのプログラムを記憶するフラッシュメモリ部２と、このフラッシュメモリ部２のコントローラ部３と、物理的に端末と接続するＩ／Ｆ（インターフェース）部４と、そのドライバ部（例えば、ＵＳＢなら、USB Mass Storage Classに準拠していて一般的なＰＣに対しては別のドライバが不要）５などからなっている。
【００１１】
図２は本発明による携帯メモリ接続使用認証システムの第１の実施形態の動作を説明するフローチャートである。図２ではパスワード登録時の端末６側の処理フローを示している。パスワード登録時は、端末６と携帯メモリ１は接続されていてそれぞれ交信しつつ処理を行う。
図２の携帯メモリ接続使用認証システムでは、携帯メモリ１へのパスワード登録時に端末６にも同内容を登録する機能を有し、携帯メモリ１が接続されたときには端末６が登録されたパスワードを自動的に使用しこれを解除するようになっている。
【００１２】
図１及び図２を参照して、端末６側は携帯メモリ１にパスワード登録することを指示し（Ｓ１）、携帯メモリＩＤ及びパスワードを送信する（Ｓ２）（Ｓ３）。ユーザーが必要としなければメモリＩＤは空でもよい。
携帯メモリ１に登録が終わったかを応答受信し（Ｓ４）、正常応答かどうかを判断し（Ｓ５）、正常応答であれば、先に送信した携帯メモリＩＤとパスワードを対として保存する（Ｓ６）。ステップＳ５で異常応答であれば、失敗なのでパスワード保存を行わず終了する。
【００１３】
図３は本発明による携帯メモリ接続使用認証システムの第２の実施形態の動作を説明するフローチャートである。図３ではパスワード登録時の携帯メモリ１側の処理フローを示している。
パスワード登録時は、端末６と携帯メモリ１は接続されていてそれぞれ交信しつつ処理を行う。
【００１４】
場合によっては、特定端末を定めず一律パスワードを掛けたい状況も存在する。この実施形態の携帯メモリ接続使用認証システムでは、ユーザー設定を記憶する機能を有し、これにより第１の実施形態の機能の実施可否を決定する。
これによって、ユーザーの意志によりパスワードを掛けない端末の範囲を設定することができる。
【００１５】
図１及び図３を参照して、携帯メモリ１側は端末６からのパスワード登録開始指示を受けて処理を始める（Ｓ１１）。携帯メモリＩＤ及びパスワードの入力有りかどうかを判断し（Ｓ１２）、入力有りならば、受信した携帯メモリＩＤ及びパスワードを一時的に保持する（Ｓ１３）（Ｓ１４）。
【００１６】
携帯メモリＩＤは有効な場合とそうでない場合がある。保持した情報と現在のパスワードとの比較及び情報長などでパスワードとしての規定を満たすかチェックし（Ｓ１５）、携帯メモリＩＤ及びパスワードとも現在のものと同一であれば登録更新せず端末へ正常応答通知し終了する。
ステップＳ１５でチェックが同一でなくパスワードとして適当であれば異常有りかどうかを判断し（Ｓ１６）、異常なしならば、新パスワードを登録更新し（Ｓ１７）、端末６へ正常応答通知し（Ｓ１８）、終了する。保持したパスワードに不正があれば登録更新せず、異常応答を通知し終了する。
【００１７】
図４は本発明による携帯メモリ接続使用認証システムの第３の実施形態の動作を説明するフローチャートである。
図４では、パスワード利用時（すなわち認証時）の端末側の処理フローを示している。この時もパスワード登録時は、端末と携帯メモリは接続されていてそれぞれ交信しつつ処理を行う。
パスワード入力不要の端末を複数作成したい場合も存在する。第３の実施形態の携帯メモリ接続使用認証システムでは、かかる場合に携帯メモリ１（図１）に登録済みのパスワードと全く同じパスワードが再登録された場合には、第１の実施形態と同様に端末６（図１）にも同内容を登録し、以降携帯メモリ１接続時使用する。
【００１８】
図１及び図４を参照して、端末６側は自動認証が許可設定でなければ本処理を行わない。自動認証を開始するどうかを判断し（Ｓ２１）、自動認証する場合は開始を携帯メモリ１に宣言し（Ｓ２２）、メモリＩＤを要求して受け取る（Ｓ２３）（Ｓ２４）。
メモリＩＤに対応するパスワードが存在するかどうかを検索し（Ｓ２５）、存在すれば、それを送信し（Ｓ２６）、認証を行う（メモリＩＤが空の場合はパスワード送信を繰り返す）。存在しない場合は終了する。
【００１９】
図５は本発明による携帯メモリ接続使用認証システムの第４の実施形態の動作を説明するフローチャートである。図５では、パスワード利用時（すなわち認証時）の携帯メモリ側の処理フローを示している。この時もパスワード登録時は、端末と携帯メモリは接続されていてそれぞれ交信しつつ処理を行う。
携帯メモリ接続使用認証システムにおいて、端末側としては異なる携帯メモリが着脱される可能性が随時あり、保持すべきパスワード数が増加する可能性があり、その数によってはパスワード認証を総当りで掛けるのはあまりにも効率が悪い。
そこで、第４の実施形態においては、携帯メモリ側はパスワードと対をなす固有ＩＤを登録する機能を有し、端末はこの固有ＩＤをメモリ装着時に携メモリ側に確認する手段を有し、固有ＩＤに対応するパスワードを検索してこれを保持している場合にパスワードでのみ認証を試すようにしている。
【００２０】
図１及び図５を参照して、携帯メモリ１側は端末６からの自動認証開始を受けたら（Ｓ３１）、自動認証を開始し（Ｓ３２）、携帯メモリＩＤ要求に応じてこれを送信する（Ｓ３３）。
端末６からのパスワードを受信し（Ｓ３４）、それ自体のパスワードを比較し判定する（Ｓ３５）。合致しない場合は、端末６へ否定応答し終了する。合致した場合にはパスワードによるロックを解除し（Ｓ３６）、端末６に肯定応答し終了する。
【００２１】
また、端末６内にパスワードを保持し続けた場合、いつか使用されなくなったパスワードが蓄積されていく可能性があり、これは携帯メモリメモリの無駄以上に認証時の処理時間増加に影響を与える可能性がある。
これを回避するために、本発明による携帯メモリ接続使用認証システムにおいては、端末６側パスワード登録時に併せて有効期限を設定する機能を有し、有効期限が切れたパスワードは自動的に削除するようにしている。
【図面の簡単な説明】
【００２２】
【図１】携帯メモリを示す概略ブロック図である。
【図２】本発明による携帯メモリ接続使用認証システムの第１の実施形態の動作を説明するフローチャートである。
【図３】本発明による携帯メモリ接続使用認証システムの第２の実施形態の動作を説明するフローチャートである。
【図４】本発明による携帯メモリ接続使用認証システムの第３の実施形態の動作を説明するフローチャートである。
【図５】本発明による携帯メモリ接続使用認証システムの第４の実施形態の動作を説明するフローチャートである。
【符号の説明】
【００２３】
１  携帯メモリ、２  フラッシュメモリ部、３  コントロール部、４  Ｉ／Ｆ（インターフェース）部、５  ドライバ、６  端末（携帯電話、パソコン）
【図１】
2007257218.tif 000003
【図２】
2007257218.tif 000004
【図３】
2007257218.tif 000005
【図４】
2007257218.tif 000006
【図５】
2007257218.tif 000007